(57)【特許請求の範囲】
【請求項１】
一端に内側方に突出した係合溝を有する雄型連結部、他端に外側方に突出した係合片と固定部を有する雌型連結部を形成した長尺状の建築用パネルと、水平面状の化粧面部と、該化粧面部の両端を内方に屈曲し先端を内側方に突出した上面と、該上面の先端を内方に屈曲し先端を外側方に突出した固定面と、化粧面部と上面とから外側方に突出した断面略コ字状の嵌合片を形成した長尺状のジョイントとからなり、壁下地にジョイントを固定具により固定し、ジョイントの両端の嵌合片に建築用パネルの係合溝を係合し、雌型連結部の固定部が固定具により壁下地に固定されていることを特徴とする目地構造。
【発明の詳細な説明】
【０００１】
【発明の属する技術分野】
本発明は建築、構築物の内壁材、外壁材、屋根材、天井材、床材、間仕切り材、等として使用でき、しかも施工性、断熱性、防火性、吸音性、等に優れた目地構造に関するものである。
【０００２】
【従来の技術】
一般に、建築用パネルとしては、薄板状の表面材と裏面材にて合成樹脂発泡体からなる芯材をサンドイッチした建築用パネル、窯業系の建築用パネル、セメント系押出パネル等、数多く発明、考案されて上市されている。
【０００３】
【発明が解決しようとする課題】
しかしながら、このような建築用パネルは、幅が１５０ｍｍ〜５００ｍｍ位であり、また、厚さが１０ｍｍ〜３０ｍｍ位であるために、施工性、断熱性、防音性に問題があった。
【０００４】
【課題を解決するための手段】
本発明はこのような欠点を除去するために、一端に内側方に突出した係合溝を有する雄型連結部、他端に外側方に突出した係合片と固定部を有する雌型連結部を形成した長尺状の建築用パネルと、水平面状の化粧面部と、化粧面部の両端を内方に屈曲し先端を内側方に突出した上面と、上面の先端を内方に屈曲し先端を外側方に突出した固定面と、化粧面部と上面とから外側方に突出した断面略コ字状の嵌合片を形成した長尺状のジョイントとからなり、壁下地にジョイントを固定具により固定し、ジョイントの両端の嵌合片に建築用パネルの係合溝を係合し、雌型連結部の固定部が固定具により壁下地に固定されている建築用パネルを提案するものである。
【０００５】
【発明の実施の形態】
以下に図面を用いて、本発明に係る目地構造の一実施例について詳細に説明する。すなわち、図１は本発明に係る目地構造を示す断面図であり、建築用パネルＡとジョイントＢよりなるものである。
【０００６】
建築用パネルＡは図２に示すように、例えば表面材１と裏面材２でフェノール樹脂を主原料とする合成樹脂発泡体からなる芯材３を、サンドイッチした長尺状の建築用部材である。
【０００７】
さらに詳説すると建築用パネルＡは、長尺で金属製の薄板からなる表面材１と裏面材２間に芯材３をサンドイッチし、幅方向の一端に形成した係合溝５を有する雄型連結部４、他端に形成した係合片７と固定部８を有する雌型連結部６とから形成した金属系サイディング材である。また、図１において、αは壁下地、βは固定具である。なお、施工状態は図３に示すものである。勿論、壁下地αは木造下地、鉄骨下地、軽量鉄骨下地、等よりなり、アスファルトフェルト、防風透湿シート（商品名：タイベック等）、等のシートが形成されている下地でも良いものである。
【０００８】
表面材１は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。
【０００９】
裏面材２は、金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１０】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることもできる。
【００１１】
また、芯材３としてはセメント板、炭酸カルシウム板、珪酸カルシウム板、セラミック板、木片セメント板、炭酸マグネシウム板、シージングボード、シージングインシュレーションボード等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、あるいは各種繊維をクロス状、三次元状に織り、これにセメント、粘土等を含浸してパネル状に成形したものを蒸気養生、あるいは焼成したものでも良い。
【００１２】
さらに詳説すると、芯材３は主に断熱材、防火材、接着剤、補強材、緩衝材、吸音材、嵩上材、軽量化材、等として機能するものである。勿論、芯材３としてロックウール、グラスウール、セラミックウール等の無機材を使用しても良いものである。
【００１３】
また、建築用パネルＡとして、表面材１のみを成形した金属パネル、表面材１と芯材３よりなるサイディング材、あるいは窯業系サイディング材、セメント系押出パネル、ＡＬＣパネル、セラミック系パネル、等を使用することもできるものである。
【００１４】
ジョイントＢは図４（ａ）に示すようなものであり、図４（ｂ）に示す基材９と図４（ｃ）に示す連結部材１０を接着剤、連結部材１０による係合、等により一体化したものである。
【００１５】
基材９は防火材、断熱材、嵩上げ材、防音材、等の機能を有するものである。その素材としては、合板（ＯＳＢ）、セメント板、炭酸カルシウム板、珪酸カルシウム板、セラミック板、木片セメント板、炭酸マグネシウム板、シージングボード、シージングインシュレーションボード等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、あるいは各種繊維をクロス状、三次元状に織り、これにセメント、粘土等を含浸してパネル状に成形したものを蒸気養生、あるいは焼成したもの、もしくは金属薄板間に合成樹脂発泡体を積層したサンドイッチパネル、硬質基材とシート状物間に合成樹脂発泡体を形成したサンドイッチパネル、等からなるものである。勿論、これらを複合した部材（カナッペ構造、サンドイッチ構造、等に形成）を基材９として使用することもできるものである。
【００１６】
連結部材１０は水平面状の化粧面部１１と、化粧面部１１の両端を内方に屈曲し先端を内側方に突出した上面１２と、上面１２の先端を内方に屈曲し先端を外側方に突出した固定面１３と、化粧面部１１と上面１２とから外側方に突出した断面略コ字状の嵌合片１４を形成した長尺状部材である。
【００１７】
ジョイントＢは図１に示すように、建築用パネルＡの係合溝５を係合し、硬質基材Ｃ上に、建築用パネルＡの雄型連結部４側を固定するためのものである。
【００１８】
建築用パネルＡは、ジョイントＢを中心に、建築用パネルＡの雄型連結部４を硬質基材Ｃに固定することにより、雌型連結部６側の固定部８を硬質基材Ｃに固定することができ、建築用パネルＡを複数枚固定した場合に、両端を確実に固定具βのみで固定できるものである。なお、建築用パネルＡをそのまま雄型連結部４と雌型連結部６の係合により固定すると、張り始めの建築用パネルＡの雄型連結部４を別途金具等で固定する必要が出るものである。
【００１９】
次に、本発明に係る目地構造Ａの施工方法について図１を用いて説明する。まず、ジョイントＢを壁下地α上に固定具βを介して施工する。次に、図２に示すような建築用パネルＡの係合溝５をジョイントＢの嵌合片１４に係合し、固定部８を図３に示すように固定するものである。
【００２０】
以上説明したのは本発明に係る目地構造の一実施例にすぎず、図５（ａ）〜（ｅ）〜図１０）に示すように形成することもできる。
【００２１】
図５（ａ）〜（ｅ）は建築用パネルＡのその他の実施例を示す断面図である。また、Ｃはパッキング材、コーキング材等のシーリング材である。
【００２２】
図６（ａ）〜（ｅ）は基材９のその他の実施例を示す断面図である。
【００２３】
図７（ａ）〜（ｈ）はジョイントＢその他の実施例を示す断面図である。特に、（ｆ）図は裏面に裏打材９ａを形成したジョイントＢ、（ｇ）、（ｈ）図は表面にカバー材９ｂを形成したジョイントＢである。
【００２４】
図８〜図１０は出隅部、入隅部に形成するジョイントＢを示す施工状態断面図である。
【００２５】
【発明の効果】
以上説明したように本発明に係る目地構造によれば、施工する方向性がなくなるために、左右（上下）どちらにでも施工できる。等の特徴、効果がある。
【図面の簡単な説明】
【図１】本発明に係る目地構造の代表例を示す斜視図である。
【図２】建築用パネルを示す断面図である。
【図３】建築用パネルの施工状態を示す断面図である。。
【図４】ジョイントを示す断面図である。
【図５】建築用パネルのその他の実施例を示す断面図である。
【図６】基材のその他の実施例を示す断面図である。
【図７】ジョイントのその他の実施例を示す断面図である。
【図８】本発明に係る目地構造のその他の実施例を示す断面図である。
【図９】本発明に係る目地構造のその他の実施例を示す断面図である。
【図１０】本発明に係る目地構造のその他の実施例を示す断面図である。
【符号の説明】
α  壁下地
β  固定具
Ａ  建築用パネル
Ｂ  ジョイント
Ｃ  シーリング材
１  表面材
２  裏面材
３  芯材
４  雄型連結部
５  係合溝
６  雌型連結部
７  係合片
８  固定部
９  基材
９ａ  裏打材９
９ｂ  カバー材
１１  化粧面部
１２  上面
１３  固定面
１４  嵌合片
【図１】
0004087967.tif 000002
【図２】
0004087967.tif 000003
【図３】
0004087967.tif 000004
【図４】
0004087967.tif 000005
【図５】
0004087967.tif 000006
【図６】
0004087967.tif 000007
【図７】
0004087967.tif 000008
【図８】
0004087967.tif 000009
【図９】
0004087967.tif 000010
【図１０】
0004087967.tif 000011